【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
生産ライン手段の測定と監視との少なくとも一方を果す装置を試験するように設定された試験サンプルであって、
予め選択された組成と、寸法と、質量と、の少なくとも１つの試験基準試験体手段と、
前記組成と、寸法と、質量と、の少なくとも１つに対応している機械読み取り可能な識別手段と、を具備し、
前記生産ライン手段を通過する物品手段に装着されるように構成されている試験サンプル。
【請求項２】
前記試験基準手段は、汚染監視装置を試験するように設定された汚染物質試験体手段を有する請求項１の試験サンプル。
【請求項３】
前記識別手段は、光センサ手段によって読み取り可能である請求項１又は２の試験サンプル。
【請求項４】
生産ライン手段のための測定と監視との少なくとも一方を果す装置であって、
物品の特性を決定するための決定手段と、
前記特性の決定を報告するための報告手段と、
この装置の正確な動作を確認するために、この装置に提示された試験サンプル手段の識別手段を読み取るように構成された読み取り手段と、を具備する装置。
【請求項５】
汚染監視装置を有し、
前記物品の特性は、予め選択された汚染物質手段の有無を含む請求項４の装置。
【請求項６】
前記試験サンプル手段は、請求項１ないし３のいずれか１に規定されるような試験サンプルを有する請求項４又は５の装置。
【請求項７】
前記読み取り手段は、光学読み取り手段を有する請求項４ないし６のいずれか１の装置。
【請求項８】
試験サンプル手段を提示するように、好ましくは、どの試験サンプルを提示すべきかをオペレータに通知するように構成された、オペレータに警告を出すための警報手段が設けられている請求項４ないし７のいずれか１の装置。
【請求項９】
生産ライン手段の測定と監視との少なくとも一方を果す装置の正確な動作を試験するための方法であって、
機械読み取り可能な識別手段を有する試験サンプル手段を与える工程と、
前記識別手段を読み取るための手段を有する測定と監視との少なくとも一方を果す装置を与える工程と、
前記装置に前記試験サンプル手段を提示する工程と、
前記試験サンプル手段に対する前記装置の応答を記録する工程と、
前記試験サンプル手段の同一性を決定するために、前記試験サンプル手段の前記識別手段を読み取る工程と、
前記応答に関連して前記サンプルの同一性を記録する工程と、を具備する方法。
【請求項１０】
前記測定と監視との少なくとも一方を果す装置は、汚染監視装置を有する請求項９の方法。
【請求項１１】
前記識別手段は、前記試験サンプル手段の少なくとも１つの特性に関するデータを含む請求項９又は１０の方法。
【請求項１２】
前記識別手段は、前記試験サンプル手段に含まれる、又は前記試験サンプル手段によってシミュレーションされる汚染物質のタイプと、レベルと、サイズと、の少なくとも１つに関するデータを含む請求項９ないし１１のいずれか１の方法。
【請求項１３】
前記識別手段は、前記試験サンプル手段の出所に関するデータを含む請求項９ないし１２のいずれか１の方法。
【請求項１４】
予め選択された試験サンプル手段を提示するためのスケジュールを与える工程と、
提示された試験サンプルの前記識別手段と、前記スケジュールで予め選択されたものとを比較する工程と、を含む請求項９ないし１３のいずれか１の方法。
【請求項１５】
提示された試験サンプル手段に対する実際の装置の応答と、前記試験サンプル手段に対して予期される応答とを比較する工程を含む請求項９ないし１４のいずれか１の方法。
【手続補正２】
【補正対象書類名】明細書
【補正対象項目名】００７１
【補正方法】変更
【補正の内容】
【００７１】
試験サンプル及び基準に自動読み取り可能な識別手段を加えるアプローチは、例えば、視覚システムを利用する監視装置、又は検査システムの他の形態で、より広く適用可能であり得ると考えられる。
以下に、出願当初の特許請求の範囲に記載された発明を付記する。
［１］生産ライン手段の測定と監視との少なくとも一方を果す装置を試験するように設定された試験サンプルであって、予め選択された組成と、寸法と、質量と、の少なくとも１つの試験基準試験体手段と、前記組成と、寸法と、質量と、の少なくとも１つに対応している機械読み取り可能な識別手段と、を具備する試験サンプル。
［２］前記試験基準手段は、汚染監視装置を試験するように設定された汚染物質試験体手段を有する［１］の試験サンプル。
［３］前記試験基準手段は、重さ、サイズ又は組成のような、物品の特性を測定するための装置を試験するように設定された試験基準を有する［１］の試験サンプル。
［４］前記生産ライン手段を通過する物品手段に装着されるように構成されている［１］ないし［３］のいずれか１の試験サンプル。
［５］前記識別手段は、光センサ手段によって読み取り可能である［１］ないし［４］のいずれか１の試験サンプル。
［６］前記識別手段は、バーコード手段を有する［１］ないし［５］のいずれか１の試験サンプル。
［７］前記識別手段は、ＲＦＩＤ（ラジオ周波数識別）タグ手段のような電子識別手段を有する［１］ないし［６］のいずれか１の試験サンプル。
［８］生産ライン手段のための測定と監視との少なくとも一方を果す装置であって、物品の特性を決定するための決定手段と、前記特性の決定を報告するための報告手段と、この装置の正確な動作を確認するために、この装置に提示された試験サンプル手段の識別手段を読み取るように構成された読み取り手段と、を具備する装置。
［９］汚染監視装置を有し、前記物品の特性は、予め選択された汚染物質手段の有無を含む［８］の装置。
［１０］前記試験サンプル手段は、［１］ないし［７］のいずれか１に規定されるような試験サンプルを有する［８］又は［９］の装置。
［１１］前記読み取り手段は、光学読み取り手段を有する［８］ないし［１０］のいずれか１の装置。
［１２］前記読み取り手段は、バーコードリーダ手段を有する［１１］の装置。
［１３］前記報告手段は、警報手段を有する［８］ないし［１２］のいずれか１の装置。
［１４］前記報告手段は、電子ファイル手段のようなログ手段を有する［８］ないし［１３］のいずれか１の装置。
［１５］前記ログ手段は、前記試験サンプル手段に対する物品の特性の決定の報告と関連して、この装置に提示された試験サンプル手段から読み取られるサンプルの同一性を記録するように構成されている［１４］の装置。
［１６］試験サンプル手段の実際の物品の特性の決定の報告と、前記試験サンプル手段の予期される物品の特性の決定の報告とを比較するための比較手段を有する［８］ないし［１５］のいずれか１の装置。
［１７］前記比較手段は、前記読み取り手段によって読み取られるような、前記試験サンプル手段の同一性に基づいて予期される物品の特性の決定の報告を利用する［１６］の装置。
［１８］試験サンプル手段を提示するように、好ましくは、どの試験サンプルを提示すべきかをオペレータに通知するように構成された、オペレータに警告を出すための警報手段が設けられている［８］ないし［１７］のいずれか１の装置。
［１９］生産ライン手段の測定と監視との少なくとも一方を果す装置の正確な動作を試験するための方法であって、機械読み取り可能な識別手段を有する試験サンプル手段を与える工程と、前記識別手段を読み取るための手段を有する測定と監視との少なくとも一方を果す装置を与える工程と、前記装置に前記試験サンプル手段を提示する工程と、前記試験サンプル手段に対する前記装置の応答を記録する工程と、前記試験サンプル手段の同一性を決定するために、前記試験サンプル手段の前記識別手段を読み取る工程と、前記応答に関連して前記サンプルの同一性を記録する工程と、を具備する方法。
［２０］前記測定と監視との少なくとも一方を果す装置は、汚染監視装置を有する［１９］の方法。
［２１］前記装置は、質量と、寸法と、組成と、の少なくとも１つのような物品の特性を測定するように構成されている［１９］の方法。
［２２］前記識別手段は、バーコード手段を有する［１９］ないし［２１］のいずれか１の方法。
［２３］前記識別手段は、前記試験サンプル手段の少なくとも１つの特性に関するデータを含む［１９］ないし［２２］のいずれか１の方法。
［２４］前記識別手段は、前記試験サンプル手段に含まれる、又は前記試験サンプル手段によってシミュレーションされる汚染物質のタイプと、レベルと、サイズと、の少なくとも１つに関するデータを含む［１９］ないし［２３］のいずれか１の方法。
［２５］前記識別手段は、前記試験サンプル手段の出所に関するデータを含む［１９］ないし［２４］のいずれか１の方法。
［２６］前記記録する工程は、ログファイル手段に、好ましくは、電子ログファイル手段に記録をする［１９］ないし［２５］のいずれか１の方法。
［２７］予め選択された試験サンプル手段を提示するためのスケジュールを与える工程と、提示された試験サンプルの前記識別手段と、前記スケジュールで予め選択されたものとを比較する工程と、を含む［１９］ないし［２６］のいずれか１の方法。
［２８］提示された試験サンプル手段に対する実際の装置の応答と、前記試験サンプル手段に対して予期される応答とを比較する工程を含む［１９］ないし［２７］のいずれか１の方法。
［２９］前記提示された試験サンプル手段の前記識別手段を読み取ることにより構築されるサンプルの同一性に基づいて、前記予期される検出の応答を決定する工程を含む［２８］の方法。
［３０］前記汚染監視装置は、［８］ないし［１８］のいずれか１に規定されるような汚染監視装置を有する［１９］ないし［２９］のいずれか１の方法。
［３１］前記試験サンプル手段は、［１］ないし［７］のいずれか１に規定されるような試験サンプルを有する［１９］ないし［３０］のいずれか１の方法。